(57)【特許請求の範囲】
【請求項１】
血液が流入する入口ポートと前記血液が流出する出口ポートとを有するケーシングと、
前記ケーシング内に収容されたインペラと、を含む遠心血液ポンプであって、
前記インペラは、上側軸受け部材と、下側軸受け部材とによって、前記ケーシング内に回転可能に固定されており、
前記インペラが前記上側軸受け部材を備え、前記ケーシングが、前記上側軸受け部材に軸支される上側シャフトを備えており、
前記ケーシングは、ケーシング上部とケーシング下部とを含み、
前記入口ポートは、前記ケーシング上部に設けられ、前記入口ポートの中心軸は、前記インペラの回転軸に対して傾斜しており、
前記上側軸受け部材の軸受け面が、前記入口ポートからの血流の流域内に配置されており、
前記血流の流域においては、前記血流は、前記入口ポートから流入した時の流速及び方向を維持していることを特徴とする遠心血液ポンプ。
【請求項２】
前記上側軸受け部材が、高分子材料から成り、
前記上側シャフトが、セラミック材料から成ることを特徴とする請求項１に記載の遠心血液ポンプ。
【請求項３】
前記上側軸受け部材の前記軸受け面は、曲率半径１ｍｍ〜６ｍｍの球状面であり、
前記上側シャフトの摺動面は、曲率半径１ｍｍ〜５ｍｍの球状面であることを特徴とする請求項１又は２に記載の遠心血液ポンプ。
【請求項４】
前記入口ポートの前記中心軸と、前記インペラの前記回転軸とのなす角度が２０°〜６０°であることを特徴とする請求項１乃至３のいずれか１項に記載の遠心血液ポンプ。
【請求項５】
前記ケーシングが前記下側軸受け部材を備え、
前記インペラが、前記下側軸受け部材に軸支される下側シャフトを備えていることを特徴とする請求項１乃至４のいずれか１項に記載の遠心血液ポンプ。
【請求項６】
前記下側軸受け部材が、高分子材料から成り、
前記下側シャフトが、セラミック材料から成ることを特徴とする請求項５に記載の遠心血液ポンプ。
【請求項７】
前記遠心血液ポンプは、血液充填量が１０ｍｌ〜３５ｍｌの新生児及び小児用遠心血液ポンプであることを特徴とする請求項１乃至６のいずれか１項に記載の遠心血液ポンプ。
【発明の詳細な説明】
【技術分野】
【０００１】
本発明は、遠心血液ポンプに関する。
【背景技術】
【０００２】
心臓等の手術において、患者の血液循環を維持するために体外にて血液ポンプが使用される。例えば特許文献１に示す従来の遠心血液ポンプでは、上側１１１と下側１１５から構成された中空のケーシング１１０の中に、インペラ１２０が回転可能に軸支されている（図７〜図９）。インペラ１２０には磁石１２８が内蔵されており、ケーシング１１０の外部下側に配置した磁石内蔵の外部モータ（図示せず）により、回転させることができる。また、ケーシング１１０は、血液が流入する入口ポート１１２と、血液が流出する出口ポート１１３を備えている。
【０００３】
特許文献１には、入口ポート１１２の設置位置及び設置方向について開示されている。ケーシング１１０に設けられる血液用の入口ポート１１２は、ケーシング１１０の上側１１１の一部を構成する円錐形部の頂部から偏った位置に設けられる（図８）。また、入口ポート１１２は、その中心軸１１２ｃが、ケーシング１１０の円錐形部の内表面１１１ｓ及びインペラ１２０の側面１２０ｓにほぼ平行になるように、方向付けられている（図９）。これによって、入口ポート１１２から流入する血液の流れが、上側シャフト１２７、円錐形部の内面及びインペラの側面に衝突し溶血が生じるのを防止できるとされている。
【０００４】
また、特許文献２には、入口ポートがケーシングの頂部に垂直方向に設置された遠心血液ポンプが開示されている。この特許文献２では、入口ポートの開口位置に、インペラの回転軸の上端を軸支する上部軸受けが、３本の軸受け支柱により保持されている。入口ポートからの血流は、上部軸受けと３本の軸受け支柱との隙間から、ケーシング内に流入する。つまり、入口ポートから流入する血流は、上部軸受けの背面（インペラの回転軸を支える軸受け面の反対側にある）に当たる。
【先行技術文献】
【特許文献】
【０００５】
【特許文献１】特開２００５−２８１５６号公報
【特許文献２】特開２００２−８５５５３号公報
【発明の概要】
【発明が解決しようとする課題】
【０００６】
従来の遠心血液ポンプ１００（図９）のインペラ１２０は、静止状態では、ケーシング１１０の下側に配置される外部モータ（図示せず）の磁石により、下向きの力を受けている。しかしながら、遠心血液ポンプ１００を作動させて、インペラ１２０が回転し始めると、インペラ１２０の回転と遠心血液ポンプ１００内を循環する血液との相互作用により、インペラ１２０は上向きの力を受ける。回転数が上昇すると、インペラ１２０の上側シャフト１２７が、ケーシング１１０に固定された上側軸受け部材１１７に強く当接するようになる。
【０００７】
通常、上側シャフト１２７と上側軸受け部材１１７との間（「上側摺動界面」と称する）は、遠心血液ポンプ１００内の血液により潤滑されて、摩擦係数が低く抑えられている。しかしながら、インペラ１２０が高速回転して、上側シャフト１２７が上側軸受け部材１１７に強く当接すると、上側摺動界面に血液が浸入しにくくなり、摩擦係数が上昇する。その結果、上側摺動界面に摩擦熱が発生し、上側摺動界面の周囲（上側シャフト１２７の界面近傍の部分と、上側軸受け部材１１７の界面近傍の部分）の温度が、局所的に上昇する。
【０００８】
血液は、体温より高い部材に接触すると、部材の表面に血栓を形成しやすい。そして、一旦血栓が形成されると、血栓を中心に血液が凝固して、血栓の寸法はどんどん大きくなる（これを「血栓の成長」と称する）。
上述のように、インペラ１２０が高速回転すると、上側摺動界面の周囲（上側シャフト１２７の界面近傍部分と、上側軸受け部材１１７の界面近傍部分）の温度が局所的に上昇しやすいため、血栓が発生しやすい。この血栓が、上側シャフト１２７の界面近傍部分の表面及び／又は上側軸受け部材１１７の界面近傍部分の表面で成長すると、上側摺動界面と遠心血液ポンプ１００との間の血液の流通が阻害される。つまり、上側摺動界面は、血液による潤滑を受けることができなくなり、上側摺動界面の摩擦係数はさらに上昇し、摩擦熱がさらに発生する。最終的には、上側シャフト１２７及び／又は上側軸受け部材１１７が熱変形して、遠心血液ポンプ１００が機能しなくなる。
【０００９】
よって、長期間（数時間〜数週間）にわたって、安定して動作する遠心血液ポンプを提供するためには、インペラの高速回転中における上側摺動界面の潤滑を維持する必要がある。しかしながら、特許文献１〜２には、この問題を解決するための構成は開示されていない。
【００１０】
そこで、本発明は、インペラの高速回転中における上側摺動界面への血液の潤滑を維持できる遠心血液ポンプを提供することを目的とする。
【課題を解決するための手段】
【００１１】
本発明の遠心血液ポンプは、血液が流入する入口ポートと前記血液が流出する出口ポートとを有するケーシングと、前記ケーシング内に収容されたインペラと、を含む遠心血液ポンプであって、前記インペラは、上側軸受け部材と、下側軸受け部材とによって、前記ケーシング内に回転可能に固定されており、前記入口ポートの中心軸が、前記インペラの回転軸に対して傾斜しており、前記上側軸受け部材の軸受け面が、前記入口ポートからの血流の流域内に配置されていることを特徴とする。
【００１２】
本発明において「入口ポートからの血流の流域」の用語は、入口ポートから流入した時の流速及び方向を実質的に維持している血流が存在する範囲を指している。具体的には、この用語は、入口ポートから流入した後、遠心血液ポンプの構成部材に当たる前の血液が流れている範囲を指している。この流域を流れる血液の血流速度は速い。また、インペラの回転数が上昇すると、遠心血液ポンプにより循環される血流速度は上昇するため、この流域内での血流速度も上昇する。
【００１３】
本発明の遠心血液ポンプは、上側摺動界面を構成している「上側軸受け部材の軸受け面」が、血流の流域内に配置されていることにより、軸受け面の周囲に血液が滞留することがなく、血栓が生じにくい。さらに、軸受け面に対して血液を積極的に当てることにより、以下のような作用も得られる。
【００１４】
第１に、軸受け面に流速の早い血流が当たるので、血液が上側摺動界面に浸入しやすい。特に、インペラの回転数が上昇すると、血流速度が上昇して、上側摺動界面への血液の浸入が促される。よって、インペラの高速回転中における上側摺動界面への血液の潤滑を維持することができる。
【００１５】
第２に、軸受け面に、流入したばかりの血液（体温程度の温度に維持されている）が常に当たり続けているので、上側摺動界面で発生する摩擦熱を効率よく除去することができる。上側摺動界面周囲の局所的な温度上昇が抑制されるので、血栓の形成が抑制される。すなわち、「成長した血栓による上側摺動界面の潤滑への血液浸入の遮断」という問題を未然に抑制して、上側摺動界面の潤滑を維持することができる。
【００１６】
なお、軸受け面に対して垂直方向から血流を当てようとした場合、インペラの回転軸が邪魔になる。また、軸受け面に対して水平方向から血流を当てようとした場合、軸受け面は、上側シャフトを安定して軸支するために、通常は凹状曲面になっているため、凹状曲面に血流を十分に当てることができない。よって、軸受け面に血流を確実に当てるためには、軸受け面に対して斜め方向から血流を当てるのが望ましい。
本発明の遠心血液ポンプは、入口ポートの中心軸が、インペラの回転軸に対して傾斜しているので、上側軸受け部材の軸受け面に血流を斜め方向から当てることができる。
【発明の効果】
【００１７】
本発明の遠心血液ポンプは、前記上側軸受け部材の軸受け面が前記入口ポートからの血流の流域内に配置されていること、及び前記入口ポートの中心軸が前記インペラの回転軸に対して傾斜していることにより、インペラの高速回転中における上側摺動界面への血液の潤滑を効率よく維持することができる。
【図面の簡単な説明】
【００１８】
【図１】本発明の実施形態に係る遠心血液ポンプの斜視図である。
【図２】本発明の実施形態に係る遠心血液ポンプの上面図である。
【図３】図２に示した本発明の実施形態に係る遠心血液ポンプのＸ−Ｘ線における断面図である。
【図４】本発明の実施形態に係る遠心血液ポンプの分解断面図である（（ａ）〜（ｃ））。
【図５】本発明の実施形態に係る遠心血液ポンプの部分拡大断面図である。
【図６】本発明の実施形態に係る遠心血液ポンプの部分拡大断面図である。
【図７】従来の遠心血液ポンプの斜視図である。
【図８】従来の遠心血液ポンプの上面図である。
【図９】図８に示した従来の遠心血液ポンプのＹ−Ｙ線における断面図である。
【発明を実施するための形態】
【００１９】
以下、図面に基づいて本発明の実施の形態を詳細に説明する。なお、以下の説明では、必要に応じて特定の方向や位置を示す用語（例えば、「上」、「下」、「右」、「左」及び、それらの用語を含む別の用語）を用いる。それらの用語の使用は図面を参照した発明の理解を容易にするためであって、それらの用語の意味によって本発明の技術的範囲が限定されるものではない。また、複数の図面に表れる同一符号の部分は同一の部分又は部材を示す。
【００２０】
図１〜３に示す本実施形態に係る遠心血液ポンプ１は、中空のケーシング１０と、ケーシング１０の中に収容されたインペラ２０とを含んでいる。ケーシング１０は、ケーシング上部１１とケーシング下部１５とから構成されている。ケーシング１０（ケーシング上部１１）は、矢印Ｂｉの方向に血液が流入する入口ポート１２と、矢印Ｂｏ方向に血液が流出する出口ポート１３とを有している。
入口ポート１２は、その中心軸１２ｃがインペラ２０の回転軸２０ｒに対して角度θで傾斜した方向に形成されている。
【００２１】
インペラ２０は、上側軸受け部材２４と下側軸受け部材１６とによって、ケーシング１０に回転可能に固定（軸支）されている。詳しくは、ケーシング１０とインペラ２０との間には、上側軸受け部材２４とそこに受容される上側シャフト１４とから成る上側摺動部材３４と、下側軸受け部材１６とそこに受容される下側シャフト２６とから成る下側摺動部材３６とが形成されている。
【００２２】
本発明の遠心血液ポンプ１では、上側軸受け部材２４の軸受け面２４ｓが、入口ポート１２からの血流の流域Ｂｒの内部に配置されている。本発明において「入口ポート１２からの血流の流域Ｂｒ」の用語は、入口ポート１２から流入した後、遠心血液ポンプの構成部材に当たる前の血液が流れている範囲を指している（図４（ａ）参照）。よって、図４（ａ）のように、入口ポート１２の開口部（ケーシング１０の内部に開口している部分）の近傍に上側シャフト１４が存在する場合には、血流の流域Ｂｒは、上側シャフト１４により血流が遮られる領域Ｂｘを含まない。
血流の流域Ｂｒを流れる血液は、入口ポート１２から入った時の流速を維持するので、遠心血液ポンプ１の他の領域を流れる血液に比べると血流速度が速い。
【００２３】
遠心血液ポンプ１では、上側軸受け部材２４の軸受け面２４ｓと、上側シャフト１４の摺動面１４ｓとから、上側摺動部材３４の界面（上側摺動界面３４ｓ）が構成される。本発明では、軸受け面２４ｓが、血流の流域Ｂｒ内に配置されていることにより、軸受け面２４ｓに流速の速い血流が当たり、血液が上側摺動界面３４ｓに浸入しやすい。そのため、上側摺動界面３４ｓを血液により潤滑することができる。
インペラ２０の回転数が上昇すると、上側摺動界面３４ｓが強く当接して、上側摺動界面３４ｓに血液が浸入しにくくなる。その一方、インペラ２０の回転数が上昇すると、血流の流域Ｂｒ内の血流速度が上昇して、上側摺動界面３４ｓへの血液の浸入が促進される。よって、本発明の遠心血液ポンプ１では、インペラ２０の回転数が上昇した場合でも、上側摺動界面３４ｓに、潤滑に必要となる量の血液の浸入を維持することができる。
【００２４】
また、本発明では、軸受け面２４ｓが、血流の流域Ｂｒ内に配置されていることにより、摺動面１４ｓに当たる血液が、上側摺動界面３４ｓで発生する摩擦熱を除去することができる。そのため、上側摺動界面３４ｓの周囲で（局所的な温度上昇に起因する）血栓が発生するのを抑制することができる。
なお、血液による熱除去によって、血液の温度が実質的に上昇することはない。これは、上側摺動界面３４ｓが十分に潤滑されているので、上側摺動界面３４ｓで発生する熱量が小さいこと、及び血流の流域Ｂｒに血液が滞留しないので、高速で流れる血液に熱量が分配されるためである。
【００２５】
本発明の遠心血液ポンプ１は、上側摺動界面３４ｓのうち軸受け面２４ｓに流速の速い血液が当たるため、軸受け面２４ｓ周辺に血栓が発生しにくい。
【００２６】
なお、本発明において「上側軸受け部材２４の軸受け面２４ｓが、入口ポート１２からの血流の流域Ｂｒの内部に配置されている」とは、軸受け面２４ｓの少なくとも一部が、血流の流域Ｂｒの内部に配置されていることを意味している。例えば、図３及び図４（ａ）のように、上側軸受け部材２４の軸受け面２４ｓの一部（入口ポート１２の開口部に面している部分）が、血流の流域Ｂｒの内部に配置されていればよい。軸受け面２４ｓの少なくとも一部が血流の流域Ｂｒ内部に配置されていれば、上述したような上側摺動界面３４ｓへの血液の浸入を促進する効果と、上側摺動界面３４ｓから摩擦熱を除去する効果とが得られることは明らかである。よって、軸受け面２４ｓの一部が、血流の流域Ｂｒの内部に配置されていれば、上側摺動界面３４ｓの潤滑効果は得られるため、血栓発生は抑制される。
【００２７】
本発明の遠心血液ポンプ１では、入口ポート１２の中心軸１２ｃが、インペラ２０の回転軸に対して傾斜している。図４（ａ）に示すように、血流の流域Ｂｒは、入口ポート１２の開口部から、入口ポート１２の中心軸１２ｃに沿って、入口ポート１２の直径相当の範囲を有している。そして、血流の流域Ｂｒでは、血流は中心軸１２ｃの方向に流れる。上側摺動界面３４ｓへの血流の浸入を促進するためには、上側軸受け部材２４の軸受け面２４ｓ（図５に示すように、通常は、凹状曲面である）と、上側シャフト１４の上側摺動３４（図５に示すように、通常は、凸状曲面である）との界面（上側摺動界面３４ｓ）の隙間に向けて、血流を当てるのが望ましい。
【００２８】
すなわち、本発明では、入口ポート１２の中心軸１２ｃをインペラ２０の回転軸２０ｒに対して傾斜させて、入口ポート１２からの血流を上側摺動界面３４ｓの隙間に流入させるのがよい。これにより、上側摺動界面３４ｓへの血流の浸入を促進させる効果が向上する。
また、血流が上側摺動界面３４ｓの隙間に流入させることができると、摩擦熱が発生する領域（上側軸受け部材２４の軸受け面２４ｓと、上側シャフト１４の摺動面１４ｓとが接触している領域）の近傍まで血流を効率よく流すことができる。よって、上側摺動界面３４ｓからの摩擦熱の除去効率を向上させることもできる。
【００２９】
特に、入口ポート１２の中心軸１２ｃと、インペラ２０の回転軸２０ｒとのなす角度θが２０°〜６０°であると、入口ポート１２からの血流が、上側摺動界面３４ｓの隙間により流入しやすくなるので好ましい。
【００３０】
上側軸受け部材２４は、インペラ２０に設けても、ケーシング１０に設けてもよいが、特に、インペラ２０に上側軸受け部材２４を設け、ケーシング１０に上側シャフト１４を設けるのが好ましい（これは、従来の遠心血液ポンプ１００（図９）と反対の関係である）。インペラ２０に上側軸受け部材２４を設けることにより、軸受け面２４ｓが上向きになり、ケーシング上部１１に形成した入口ポート１２からの血流が当たりやすくなる。また、インペラ２０に上側軸受け部材２４を設けることにより、（従来の遠心血液ポンプ１００（図９）に比べて）摺動面１４ｓの位置を低くできる。
また、上側シャフト１４のほうが上側軸受け部材２４よりも直径が小さいので、上側シャフト１４をケーシング１０に配置すると、入り口ポート１２の開口部を、上側シャフト１４に近接して設けることができる。つまり、入り口ポート１２の開口部を、軸受け面２４ｓに近い位置に設置することが可能となる。
このように、インペラ２０に上側軸受け部材２４を設け、ケーシング１０に上側シャフト１４を設けることにより、軸受け面２４ｓを血流の流域Ｂｒ内に配置しやすくなる。
【００３１】
また、新生児及び小児用の遠心血液ポンプ１（例えば、血液充填量１０ｍｌ〜３５ｍｌの小型の遠心血液ポンプ１）を製造する場合には、ポンプ全体の部品寸法の小型化が問題になる。特に、上側軸受け部材２４と入口ポート１２とを狭い範囲に近接して配置する必要がある。しかしながら、上側及び下側軸受け部材２４、１６と上側及び下側シャフト１４、２６とを共に小寸法に変更すると、軸受け面の接触圧力の増大を招いて、それらの部品の破損が懸念される。よって、部材の破損防止の観点から、新生児及び小児用の遠心血液ポンプ１であっても、従来の大人用の遠心血液ポンプ１と同じ寸法直径の上側及び下側軸受け部材２４、１６と上側及び下側シャフト１４、２６とを用いるのが望ましい。
【００３２】
しかしながら、図９に示すような従来の遠心血液ポンプ１００の場合、入口ポート１１２と上側軸受け部材１１７とが干渉するため、入口ポート１１２と上側軸受け部材１１７とを近接して配置することができない。よって、大人用遠心血液ポンプ１００の上側及び下側軸受け部材１１７、１１６と上側及び下側シャフト１２７、１２６を用いては、小型の遠心血液ポンプは、製造することができなかった。
【００３３】
本実施の形態の人工血液ポンプ１０は、インペラ２０に上側軸受け部材２４を配置し、ケーシング１０に上側シャフト１４を配置することにより、上側軸受け部材２４及び上側シャフト１４の寸法を変更せずに、上側軸受け部材２４と入口ポート１２とを狭い範囲内で近接して配置することができる。よって、本実施の形態の遠心血液ポンプ１は、小型化に適している。また、新生児及び小児用の遠心血液ポンプのケーシング１０に設ける上側シャフト１４とインペラ２０に設ける下側シャフト２６は、一般的な大人用の遠心血液ポンプのものを共用できるので、複数種類の遠心血液ポンプにわたる部品の共通化も可能である。
【００３４】
さらに、新生児及び小児用の遠心血液ポンプ１は、一般的な成人用の遠心血液ポンプ１よりも、高い回転数で使用される。例えば、成人用の遠心血液ポンプ１の回転数はおよそ4000回転／分であるのに対して、新生児及び小児用の遠心血液ポンプ１は、およそ6000回転／分である。上述したように、本発明の遠心血液ポンプ１は、高回転数での使用に適していることから、新生児及び小児用の遠心血液ポンプ１に好適である。
【００３５】
図５のように、上側軸受け部材２４の軸受け面２４ｓと、上側シャフト１４の摺動面１４ｓとは、異なる曲率の曲面にすることができる。特に、遠心血液ポンプ１の寸法と、摺動面１４ｓの耐摩耗性を考慮すると、軸受け面２４ｓを曲率半径１ｍｍ〜６ｍｍの凹状の球状面とし、摺動面１４ｓを曲率半径１ｍｍ〜５ｍｍの凸状の球状面とするのが好ましい。
【００３６】
図３に示すように、ケーシング１０が下側軸受け部材１６を備え、インペラ２０が、下側軸受け部材１６に軸支される下側シャフト２６を備えているのが好ましい。図３からも分かるように、下側軸受け部材１６であれば、厚さの薄いケーシング下部１５に埋め込むことができる。遠心血液ポンプ１を駆動する場合には、遠心血液ポンプ１の下側に、外部モータを設置し、外部モータの磁石と、インペラ２０の磁石２８との間の磁力により、インペラ２０を回転させる。本実施の形態のように、ケーシング下部１５の厚さを薄くできると、外部モータの磁石とインペラ２０の磁石２８との距離を近づけることができるので、遠心血液ポンプ１の駆動エネルギーを小さくできる。
【００３７】
図６のように、下側軸受け部材１６の軸受け面１６ｓと、下側シャフト２６の摺動面２６ｓとは、異なる曲率の曲面にすることができる。特に、遠心血液ポンプ１の寸法と、摺動面２６ｓの耐摩耗性を考慮すると、軸受け面１６ｓを曲率半径１ｍｍ〜６ｍｍの凹状の球状面とし、摺動面２６ｓを曲率半径１ｍｍ〜５ｍｍの凸状の球状面とするのが好ましい。
【００３８】
以下に、各構成部材に好適な材料について詳述する。
（ケーシング１０）
ケーシング１０は、インペラ２０及び流動する血液を視認できるように、透光性を有している材料で、且つ生体安全性の高い材料から形成される。また、感染防止等の観点から、遠心血液ポンプ１の全ての部品は、ディスポーザブル（使い捨て）である。よって、コストダウンが図りやすく、加工性（例えば射出成形が可能な材料）が良好で、廃棄に適した材料が好ましい。具体的には、例えばポリカーボネートなどのプラスチック材料が好適である。
【００３９】
（上側軸受け部材２４、下側軸受け部材１６）
上側軸受け部材２４及び下側軸受け部材１６は、上側シャフト１４及び下側シャフト２６を長時間にわたって軸支するものである。よって、上側軸受け部材２４及び下側軸受け部材１６には、生体安全性を有し、シャフト１４、２６との摩擦係数が比較的小さく、摩耗耐久性に優れた材料が適している。具体的には、例えば超高分子量ポリエチレン（ＵＨＭＷＰＥ）、架橋化ポリエチレン及びポリエーテルエーテルケトンなどの高分子材料が好適である。
【００４０】
（上側シャフト１４、下側シャフト２６）
上側シャフト１４及び下側シャフト２６は、小直径の棒状部材でありながら、高速回転するインペラ２０を軸支するものである。よって、上側シャフト１４及び下側シャフト２６は、生体安全性を有し、強度が高く、耐摩耗性に優れた材料が適している。具体的には、例えばアルミナ、炭化ケイ素、窒化ケイ素、正方晶安定化ジルコニアなどのセラミック材料や、生体適合性金属材料（チタン合金、CoCrMo合金、ＳＵＳ３１６Ｌ、及びこれらを表面硬化処理したもの等）が好適である。
【００４１】
（インペラ２０）
インペラ２０は、外部モータで回転させるものである。小出力・小型の外部モータであっても高速回転させることのできるように、インペラ２０に用いる材料は、軽量であるのが好ましい。好適な材料としては、例えばポリカーボネートなどのプラスチック材料が挙げられる。
【００４２】
（磁石２８）
インペラ２０に内蔵される磁石２８は、磁力によって、外部モータの回転エネルギーをインペラ２０に伝達させるものである。インペラ２０の回転制御を確実に行うために、磁石２８には、磁力の強い磁石が用いられる。具体的には、例えばネオジム磁石などの希土類磁石が好適である。
【００４３】
本発明の遠心血液ポンプ１は、上側摺動界面への血液の潤滑を維持できるので、潤滑不足に起因する遠心血液ポンプ１の異常が生じにくい。よって、長期間（数時間〜数週間）にわたって安定した機能を発揮することができる。
また、本発明の遠心血液ポンプ１は、高速回転しても血栓が発生しにくいので、新生児及び小児用の遠心血液ポンプ１に好適である。
【符号の説明】
【００４４】
１  遠心血液ポンプ
１０  ケーシング
１１  ケーシング上部
１２  入口ポート
１２ｃ  入口ポートの中心軸
１３  出口ポート
１４  上側シャフト
１４ｓ  上側シャフトの摺動面
１４ｒ  上側シャフトの摺動面の半径
１５  ケーシング下部
１６  下側軸受け部材
１６ｓ  下側軸受け部材の軸受け面
１６ｒ  下側軸受け部材の軸受け面の半径
２０  インペラ
２０ｒ  インペラの回転軸
２１  インペラの底面
２４  上側軸受け部材
２４ｓ  上側軸受け部材の軸受け面
２４ｒ  上側軸受け部材の軸受け面の半径
２６  下側シャフト
２６ｓ  下側シャフトの摺動面
２６ｒ  下側シャフトの摺動面の半径
２８  磁石
３４  上側摺動部材
３４ｓ  上側摺動界面
３６  下側摺動部材
Ｂｉ  血液の流入方向
Ｂｏ  血液の流出方向
Ｂｒ  入口ポートからの血流の流域
【図１】
0005743567.tif 000002
【図２】
0005743567.tif 000003
【図３】
0005743567.tif 000004
【図４】
0005743567.tif 000005
【図５】
0005743567.tif 000006
【図６】
0005743567.tif 000007
【図７】
0005743567.tif 000008
【図８】
0005743567.tif 000009
【図９】
0005743567.tif 000010